(57)【要約】【課題】放射線画像撮影装置によって得られる放射線画像の画質の低下を抑制することができる撮影制御装置を提供する。【解決手段】ＨＤＤ１１０に電子カセッテ３２と放射線源１３０の組み合わせ毎に放射線画像を補正するための補正情報を記憶しており、無線通信部１１８で通信可能な撮影で使用される電子カセッテ３２及び放射線発生装置３４に装着された放射線源１３０の組み合わせに対応する補正情報がＨＤＤ１１０に記憶されていない場合に、警告が行う。【選択図】図４
2010081961.tif 000002
【特許請求の範囲】
【請求項１】
照射された放射線により表わされる放射線画像を撮影し、撮影した放射線画像を示す画像情報を生成する放射線画像撮影装置と通信を行う通信手段と、
放射線を発生する放射線源が設けられ、当該放射線源から放射線を照射する放射線照射手段と、
前記放射線画像撮影装置により生成された前記放射線画像を補正するための補正情報を記憶した記憶手段と、
前記放射線照射手段に設けられた放射線源又は当該放射線源の放射線の照射に影響する部品が交換された場合、警告が行われるように警告手段を制御する制御手段と、
を備えた撮影制御装置。
【請求項２】
前記放射線画像撮影装置は、各々を識別するための識別情報が付され、
前記記憶手段は、前記放射線画像撮影装置毎に当該放射線画像撮影装置により生成された前記放射線画像を補正するための補正情報を記憶する
請求項１記載の撮影制御装置。
【請求項３】
前記放射線画像撮影装置及び前記放射線源は、各々を識別するための識別情報がそれぞれ付され、
前記放射線画像撮影装置と前記放射線源の組み合わせ毎に前記放射線画像を補正するための補正情報を記憶した記憶手段と、
前記通信手段と通信可能な放射線画像撮影装置及び前記放射線照射手段に装着された前記放射線源各々の識別情報をそれぞれ取得する取得手段と、をさらに備え、
前記制御手段は、前記取得手段により取得された放射線画像撮影装置及び前記放射線源各々の識別情報により示される前記放射線画像撮影装置と前記放射線源の組み合わせに対応する補正情報が前記記憶手段に記憶されていない場合に、警告が行われるように警告手段を制御する
請求項１記載の撮影制御装置。
【請求項４】
前記放射線画像撮影装置又は前記放射線源の一方は、各々を識別するための識別情報が付されると共に、他方は、組み合わせて使用された一方の識別情報を記憶し、
前記放射線画像撮影装置又は前記放射線源の一方から前記識別情報を取得する取得手段をさらに備え、
前記制御手段は、前記取得手段により取得された識別情報が前記放射線画像撮影装置又は前記放射線源の他方に記憶されていない場合に、警告が行われるように警告手段を制御する
請求項１記載の撮影制御装置。
【請求項５】
前記制御手段は、前記警告手段による警告の後に前記補正情報を生成するように前記放射線照射手段及び前記放射線画像撮影装置を制御する
請求項１〜請求項４の何れか１項記載の撮影制御装置。
【請求項６】
前記部品は、陰極、陽極、フィルタの何れかである
請求項１〜請求項５の何れか１項記載の撮影制御装置。
【発明の詳細な説明】
【技術分野】
【０００１】
本発明は、撮影制御装置に関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）が実用化されており、このＦＰＤ等を用いて照射された放射線により表わされる放射線画像を示す画像情報を生成し、生成した画像情報を記憶する可搬型放射線画像撮影装置（以下、「電子カセッテ」ともいう。）が実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
ところで、電子カセッテは、内蔵されたＦＰＤや増幅回路に固有の特性がある。また、電子カセッテは、人手によって持ち運ぶことが可能であって、且つ、異なる制御装置（所謂、コンソール）に対しても接続が可能であるため、一つの電子カセッテを異なる撮影室で持ち回りで使用することが可能である。
【０００５】
このため、コンソールでは、シェーディング補正等の補正データを電子カセッテ毎に記憶する必要がある。
【０００６】
特許文献１には、電子カセッテ毎にＩＤ情報を付け、コンソールにおいてＩＤ情報に各々対応した補正テーブルを記憶し、コンソールにおいて接続された電子カセッテのＩＤ情報に対応する補正テーブルを検索し、検索して得られた補正テーブルに基づいて撮影画像の補正処理を行う技術が開示されている。
【０００７】
また、特許文献２には、ＦＰＤなどの交換する部品の補正情報を予備的に記録し、部品を交換した場合、予備的に記録させた補正情報を、交換後の部品のフラッシュメモリに伝送する技術が開示されている。
【特許文献１】特開２００１−３７７４９号公報
【特許文献２】特開２００３−２１０４５０号公報
【発明の開示】
【発明が解決しようとする課題】
【０００８】
しかしながら、シェーディング補正は、電子カセッテだけでなく、放射線源と電子カセッテの組み合わせに対応して定まる。このため、撮影装置の放射線源が交換された場合に、交換以前の補正データをそのまま用いると、電子カセッテによって得られる放射線画像の画質が低下する。
【０００９】
本発明は上記事実に鑑みてなされたものであり、放射線画像撮影装置によって得られる放射線画像の画質の低下を抑制することができる撮影制御装置を提供することを目的とする。
【課題を解決するための手段】
【００１０】
上記目的を達成するために、請求項１に記載の発明の撮影制御装置は、照射された放射線により表わされる放射線画像を撮影し、撮影した放射線画像を示す画像情報を生成する放射線画像撮影装置と通信を行う通信手段と、放射線を発生する放射線源が設けられ、当該放射線源から放射線を照射する放射線照射手段と、前記放射線画像撮影装置により生成された前記放射線画像を補正するための補正情報を記憶した記憶手段と、前記放射線照射手段に設けられた放射線源又は当該放射線源の放射線の照射に影響する部品が交換された場合、警告が行われるように警告手段を制御する制御手段と、を備えている。
【００１１】
請求項１に記載の発明によれば、照射された放射線により表わされる放射線画像を撮影し、撮影した放射線画像を示す画像情報を生成する放射線画像撮影装置と通信手段により通信が行なわれ、放射線を発生する放射線源が放射線照射手段に設けられ、当該放射線源から放射線が照射される。
【００１２】
また、本発明によれば、記憶手段により、放射線画像撮影装置により生成された前記放射線画像を補正するための補正情報が記憶されている。
【００１３】
そして、本発明では、制御手段により、放射線照射手段に設けられた放射線源又は当該放射線源の放射線の照射に影響する部品が交換された場合、警告が行われるように警告手段が制御される。
【００１４】
このように、請求項１に記載の発明によれば、放射線画像撮影装置により生成された前記放射線画像を補正するための補正情報を記憶手段に記憶させておき、放射線照射手段に設けられた放射線源又は当該放射線源の放射線の照射に影響する部品が交換された場合、警告手段により警告を行なうので、警告が行なわれた際に補正情報を生成することにより、放射線画像撮影装置によって得られる放射線画像の画質の低下を抑制することができる。
【００１５】
なお、本発明は、請求項２に記載の発明のように、前記放射線画像撮影装置が、各々を識別するための識別情報が付され、前記記憶手段が、前記放射線画像撮影装置毎に当該放射線画像撮影装置により生成された前記放射線画像を補正するための補正情報を記憶してもよい。
【００１６】
また、本発明は、請求項３に記載の発明のように、前記放射線画像撮影装置及び前記放射線源が、各々を識別するための識別情報がそれぞれ付され、前記記憶手段が、前記放射線画像撮影装置と前記放射線源の組み合わせ毎に前記放射線画像を補正するための補正情報を記憶し、前記通信手段と通信可能な放射線画像撮影装置及び前記放射線照射手段に装着された前記放射線源各々の識別情報をそれぞれ取得する取得手段をさらに備え、前記制御手段が、前記取得手段により取得された放射線画像撮影装置及び前記放射線源各々の識別情報により示される前記放射線画像撮影装置と前記放射線源の組み合わせに対応する補正情報が前記記憶手段に記憶されていない場合に、警告が行われるように警告手段を制御してもよい。
【００１７】
また、本発明は、請求項４に記載の発明のように、前記放射線画像撮影装置又は前記放射線源の一方が、各々を識別するための識別情報が付されると共に、他方が、組み合わせて使用された一方の識別情報を記憶し、前記放射線画像撮影装置又は前記放射線源の一方から前記識別情報を取得する取得手段をさらに備え、前記制御手段が、前記取得手段により取得された識別情報が前記放射線画像撮影装置又は前記放射線源の他方に記憶されていない場合に、警告が行われるように警告手段を制御してもよい。
【００１８】
また、本発明は、請求項５に記載の発明のように、前記制御手段が、前記警告手段による警告の後に前記補正情報を生成するように前記放射線照射手段及び前記放射線画像撮影装置を制御してもよい。
【００１９】
さらに、本発明は、請求項６に記載の発明のように、前記部品が、陰極、陽極、フィルタの何れかであってもよい。
【発明の効果】
【００２０】
本発明によれば、放射線画像撮影装置により生成された前記放射線画像を補正するための補正情報を記憶手段に記憶させておき、放射線照射手段に装着された放射線源又は当該放射線源の放射線の照射に影響する部品が交換された場合、警告手段により警告を行なうので、警告が行なわれた際に補正情報を生成することにより、放射線画像撮影装置によって得られる放射線画像の画質の低下を抑制することができる、という効果が得られる。
【発明を実施するための最良の形態】
【００２１】
以下、図面を参照して本発明を実施するための最良の形態について詳細に説明する。
【００２２】
先ず、実施の形態に係る放射線情報システム１０の構成について説明する。
【００２３】
図１には、本実施の形態に係る放射線情報システム１０{以下、「ＲＩＳ１０」（ＲＩＳ：Radiology Information System）とも称する。）の各構成要素を示すブロック図が示されている。
【００２４】
ＲＩＳ１０は、放射線科部門内における、診療予約、診断記録等の情報管理を行うためのシステムであり、病院情報システム（ＨＩＳ：Hospital Information System）の一部を構成する。
【００２５】
ＲＩＳ１０は、複数台の撮影依頼端末装置１２（以下、「端末装置１２」とも称する。）、ＲＩＳサーバ１４、病院内の個々の放射線撮影室（或いは手術室）に設置された放射線画像撮影システム１８が、有線又は無線のＬＡＮ(Local Area Network)から成る病院内ネットワーク１６に各々接続されて構成されている。なお、ＲＩＳ１０は同じ病院内に設けられた病院情報システム(ＨＩＳ：Hospital Information System)の一部を構成しており、病院内ネットワーク１６にはＨＩＳ全体を管理するＨＩＳサーバ（図示省略）も接続されている。
【００２６】
端末装置１２は、医師や放射線技師が、診断情報や施設予約の入力・閲覧をするためのものであり、放射線画像の撮影依頼（撮影予約）もこの端末装置１２からなされる。各端末装置１２は、表示装置付きのパーソナルコンピュータから構成され、ＲＩＳサーバ１４と病院内ネットワーク１６により接続されて相互通信が可能となっている。
【００２７】
ＲＩＳサーバ１４は、各端末装置１２からの撮影依頼を受け付け、撮影システム１８における放射線画像の撮影スケジュールを管理するものであり、データベース１４Ａを含んで構成されている。
【００２８】
データベース１４Ａは、患者の属性情報（氏名、性別、生年月日、年齢、血液、患者ＩＤ等）、病歴、受診歴、過去に撮影した放射線画像等、患者に関する情報、撮影システム１８の電子カセッテ３２の識別番号、型式、サイズ、感度、使用可能な撮影部位（対応可能な撮影依頼の内容）、使用開始年月日、使用回数等、電子カセッテ３２に関する情報、及び電子カセッテ３２を用いて放射線画像を撮影する環境、すなわち、電子カセッテ３２を使用する環境（一例として、手術室や放射線画像の撮影専用に設置された撮影室など）を示す環境情報を含んで構成されている。
【００２９】
撮影システム１８は、ＲＩＳサーバ１４からの指示に応じて医師や放射線技師の操作により放射線画像の撮影を行う。撮影システム１８は、放射線源１３０（図２、図３参照。）から曝射条件に従った放射線量からなる放射線Ｘを被写体に照射する放射線発生装置３４と、患者を透過した放射線Ｘを検出し、放射線画像情報に変換する放射線検出器６０（図３参照。）を内蔵する電子カセッテ３２と、電子カセッテ３２に内蔵されるバッテリを充電するクレードル４０と、電子カセッテ３２、放射線発生装置３４、及びクレードル４０を制御するコンソール４２と、を備える。
【００３０】
図２には、本実施の形態に係る撮影システム１８を放射線撮影室４４に配置した様子の一例が示されている。
【００３１】
同図に示すように、放射線撮影室４４には、立位での放射線撮影を行う際に電子カセッテ３２を保持するためのラック４５と、臥位での放射線撮影を行う際に患者が横臥するためのベッド４６が設置されており、ラック４５の前方空間は立位での放射線撮影を行う際の患者の撮影位置４８とされ、ベッド４６の上方空間は臥位での放射線撮影を行う際の患者の撮影位置５０とされている。
【００３２】
放射線撮影室４４には、単一の放射線源１３０からの放射線によって立位での放射線撮影も臥位での放射線撮影も可能とするために、放射線源１３０を、水平な軸回り（図２の矢印Ａ方向）に回動可能で、鉛直方向（図２の矢印Ｂ方向）に移動可能で、かつ水平方向（図２の矢印Ｃ方向）に移動可能に支持する支持移動機構５２が設けられている。支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略）。
【００３３】
クレードル４０には、電子カセッテ３２を収納可能な収容部４０Ａが形成されている。      
【００３４】
電子カセッテ３２は、待機時、クレードル４０の収容部４０Ａに収納され、内蔵されるバッテリに充電が行われ、放射線画像の撮影時、放射線技師によってクレードル４０から取り出され、撮影姿勢が立位であればラック４５に保持される位置４９へ移動・位置決めされ、撮影姿勢が臥位であればベッド４６上の位置５１へ移動・位置決めされる。
【００３５】
本実施の形態に係る撮影システム１８では、放射線発生装置３４とコンソール４２とをそれぞれケーブルで接続して有線通信によって各種情報の送受信を行うが、図２では、各機器間を接続するケーブルを省略している。また、電子カセッテ３２とコンソール４２との間は、無線通信によって各種情報の送受信を行う。
【００３６】
なお、電子カセッテ３２は、放射線撮影室４４で使用される場合に限られるものではなく、例えば、検診や病院内での回診にも適用することができる。
【００３７】
図３には、本実施の形態に係る電子カセッテ３２の内部構成が示されている。
【００３８】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。
【００３９】
筐体５４の内部には、放射線Ｘが照射される筐体５４の照射面５６側から、患者による放射線Ｘの散乱線を除去するグリッド５８、患者を透過した放射線Ｘを検出する放射線検出器６０、及び、放射線Ｘのバック散乱線を吸収する鉛板６２が順に配設される。なお、筐体５４の照射面５６をグリッド５８として構成してもよい。
【００４０】
また、筐体５４の内部の一端側には、マイクロコンピュータを含む電子回路及び充電可能な二次電池を収容するケース３１が配置されている。放射線検出器６０及び電子回路は、ケース３１に配置された二次電池から供給される電力によって作動する。ケース３１内部に収容された各種回路が放射線Ｘの照射に伴って損傷することを回避するため、ケース３１の照射面２２側には鉛板等を配設しておくことが望ましい。
【００４１】
図４には、本実施の形態に係る放射線画像撮影システム１８の詳細な構成を示すブロック図が示されている。
【００４２】
放射線発生装置３４には、コンソール４２と通信を行うための接続端子３４Ａが設けられている。コンソール４２には、放射線発生装置３４と通信を行うための接続端子４２Ａが設けられている。
【００４３】
電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００４４】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図４では個々の画素部７４に対応する光電変換層を光電変換部７２として模式的に示している）がマトリクス状に多数個配置されており、電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００４５】
また、ＴＦＴアクティブマトリクス基板６６には、一定方向（行方向）に延設され個々の画素部７４のＴＦＴ７０をオンオフさせるための複数本のゲート配線７６と、ゲート配線７６と直交する方向（列方向）に延設されオンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、電荷信号としてデータ配線７８を伝送されて信号処理部８２に入力される。従って、個々の画素部７４の蓄積容量６８に蓄積されている電荷は行単位で順に読み出される。
【００４６】
図５には、本実施の形態に係る放射線検出器６０の１画素部分に注目した等価回路図が示されている。
【００４７】
同図に示すように、ＴＦＴ７０のソースは、データ配線７８に接続されており、このデータ配線７８は、信号処理部８２に接続されている。また、ＴＦＴ７０のドレインは蓄積容量６８及び光電変換部７２に接続され、ＴＦＴ７０のゲートはゲート配線７６に接続されている。
【００４８】
信号処理部８２は、個々のデータ配線７８毎にサンプルホールド回路８４を備えている。個々のデータ配線７８を伝送された電荷信号はサンプルホールド回路８４に保持される。サンプルホールド回路８４はオペアンプ８４Ａとコンデンサ８４Ｂを含んで構成され、電荷信号をアナログ電圧に変換する。また、サンプルホールド回路８４にはコンデンサ８４Ｂの両電極をショートさせ、コンデンサ８４Ｂに蓄積された電荷を放電させるリセット回路としてスイッチ８４Ｃが設けられている。
【００４９】
サンプルホールド回路８４の出力側にはマルチプレクサ８６、Ａ／Ｄ変換器８８が順に接続されている。個々のサンプルホールド回路に保持された電荷信号はアナログ電圧に変換されてマルチプレクサ８６に順に（シリアルに）入力され、Ａ／Ｄ変換器８８によってデジタルの画像情報へ変換される。
【００５０】
信号処理部８２には画像メモリ９０が接続されている（図４参照。）。信号処理部８２のＡ／Ｄ変換器８８から出力された画像情報は画像メモリ９０に順に記憶される。画像メモリ９０は放射線画像を示す画像情報を所定枚数分記憶可能な記憶容量を有しており、１ラインずつ電荷の読み出しが行われる毎に、読み出された１ライン分の画像情報が画像メモリ９０に順次記憶される。
【００５１】
画像メモリ９０は電子カセッテ３２全体の動作を制御するカセッテ制御部９２と接続されている。カセッテ制御部９２はマイクロコンピュータによって実現されており、ＣＰＵ９２Ａ、ＲＯＭ及びＲＡＭを含むメモリ９２Ｂ、ＨＤＤやフラッシュメモリ等から成る不揮発性の記憶部９２Ｃを備えている。電子カセッテ３２には、各々を識別するための識別情報が付されており、記憶部９２Ｃには、各々を識別するための識別情報として識別ＩＤが記憶されている。
【００５２】
このカセッテ制御部９２には無線通信部９４が接続されている。この無線通信部９４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間で各種情報の伝送を制御する。カセッテ制御部９２は、無線通信部９４を介してコンソール４２と無線通信が可能とされており、コンソール４２との間で各種情報の送受信が可能とされている。カセッテ制御部９２は、コンソール４２から受信される後述する撮影条件を記憶し、撮影条件に基づいて電荷の読み出しを開始する。
【００５３】
また、電子カセッテ３２には電源部９６が設けられており、上述した各種回路や各素子(ゲート線ドライバ８０、信号処理部８２、画像メモリ９０、無線通信部９４、やカセッテ制御部９２として機能するマイクロコンピュータ)は、電源部９６から供給された電力によって作動する。電源部９６は、電子カセッテ３２の可搬性を損なわないように、バッテリ（充電可能な二次電池）を内蔵しており、充電されたバッテリから各種回路・素子へ電力を供給する。
【００５４】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００５５】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、接続端子４２Ａに接続され、接続端子４２Ａ及び通信ケーブル３５を介して放射線発生装置３４との間で後述する撮影条件や放射線発生装置３４の状態情報等の各種情報の送受信を行う通信インタフェース（Ｉ／Ｆ）部１１６と、電子カセッテ３２との間で無線通信により撮影制御情報や画像情報等の各種情報の送受信を行う無線通信部１１８と、を備えている。
【００５６】
ＣＰＵ１０４、ＲＯＭ１０６、ＲＡＭ１０８、ＨＤＤ１１０、ディスプレイドライバ１１２、操作入力検出部１１４、通信Ｉ／Ｆ部１１６、及び無線通信部１１８は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した放射線発生装置３４との各種情報の送受信の制御、及び無線通信部１１８を介した電子カセッテ３２との各種情報の送受信の制御、を行うことができる。また、ＣＰＵ１０４は、操作入力検出部１１４を介して操作パネル１０２に対するユーザの操作状態を把握することができる。
【００５７】
一方、放射線発生装置３４は、放射線Ｘを出力する放射線源１３０と、コンソール４２との間で撮影条件や放射線発生装置３４の状態情報等の各種情報を送受信する通信Ｉ／Ｆ部１３２と、受信した撮影条件に基づいて放射線源１３０を制御する線源制御部１３４と、支持移動機構５２に備えられた各駆動源への電力供給を制御することにより支持移動機構５２の動作を制御する線源駆動制御部１３６と、を備えている。
【００５８】
線源制御部１３４もマイクロコンピュータによって実現されており、受信した撮影条件を記憶する。このコンソール４２から受信する撮影条件には管電圧、管電流、照射期間等の曝射条件情報や撮影姿勢が立位か臥位かを表す姿勢情報が含まれている。線源制御部１３４は、受信した撮影条件で指定された撮影姿勢が立位であれば、線源駆動制御部１３６を介して放射線源１３０が立位撮影用の位置５３Ａ（図２参照、射出した放射線が撮影位置４８に位置している患者に側方から照射される位置）に位置するように支持移動機構５２を制御し、受信した撮影条件情報で指定された撮影姿勢が臥位であれば、線源駆動制御部１３６を介して放射線源１３０が臥位撮影用の位置５３Ｂ（図２参照、射出した放射線が撮影位置５０に位置している患者に上方から照射される位置）に位置するように支持移動機構５２を制御し、撮影条件に含まれる曝射条件に基づいて放射線源１３０から放射線Ｘを照射させる。
【００５９】
また、本実施の形態係る放射線発生装置３４は、放射線源１３０が着脱可能に設けられており、放射線源１３０が劣化したり故障した場合に放射線源１３０が交換される。また、放射線源１３０にはＲＯＭやフラッシュメモリ等から成る不揮発性の記憶部１３０Ａが設けられている。放射線源１３０も、各々を識別するための識別情報が付されており、記憶部１３０Ａには、各々を識別するための識別情報として識別ＩＤが記憶されている。記憶部１３０Ａは、放射線発生装置３４に放射線源１３０が装着された場合に線源制御部１３４と接続され、内部に記憶された識別ＩＤが線源制御部１３４から読出し可能とされている。
【００６０】
次に、本実施の形態に係る撮影システム１８の作用について説明する。
【００６１】
電子カセッテ３２に内蔵された放射線検出器６０や放射線源１３０は個体毎に特性にバラツキがあり、撮影によって得られる放射線画像は電子カセッテ３２と放射線源１３０の組合わせによっての濃度などの画質が変化する。このため、コンソール４２は、放射線検出器６０と放射線源１３０の組み合わせ毎に放射線画像を補正するための補正情報をＨＤＤ１１０に記憶している。
【００６２】
放射線発生装置３４は、通信ケーブル３５を介してコンソール４２に接続されてコンソール４２と通信可能となると、記憶部１３０Ａに記憶された放射線源１３０の識別ＩＤを通信ケーブル３５を介してコンソール４２へ送信する。
【００６３】
一方、電子カセッテ３２は、コンソール４２と無線通信が可能となると、記憶部９２Ｃに記憶された電子カセッテ３２の識別ＩＤを無線通信によりコンソール４２へ送信する。
【００６４】
コンソール４２では、電子カセッテ３２及び放射線発生装置３４から識別ＩＤがそれぞれ受信されると、識別ＩＤにより示される電子カセッテ３２と放射線源１３０の組み合わせを判定する組合せ判定処理が行なわれる。
【００６５】
図６にはＣＰＵ１０４により実行される組合せ判定処理プログラムの処理の流れを示すフローチャートが示されている。なお、当該プログラムはＲＯＭ１０６又はＨＤＤ１１０の所定の領域に予め記憶されている。
【００６６】
同図のステップ２００では、電子カセッテ３２及び放射線発生装置３４からそれぞれ受信された識別ＩＤにより示される電子カセッテ３２と放射線源１３０の組み合わせに対応する補正情報がＨＤＤ１１０に記憶されているか否かを判定し、肯定判定となった場合は処理終了となり、否定判定となった場合はステップ２０２へ移行する。
【００６７】
ステップ２０２では、電子カセッテ３２と放射線源１３０の組み合わせが新規であるため、キャリブレーションの実施を促す警告をディスプレイ１００に表示させ、処理終了となる。
【００６８】
本実施の形態に係る撮影システム１８は、キャリブレーションを、立位の撮影姿勢で電子カセッテ３２と放射線源１３０の距離（所謂、ＳＩＤ）を所定の撮影距離とし、放射線源１３０から所定の曝射条件で放射線を照射して行なうものとされている。
【００６９】
放射線技師は、ディスプレイ１００にキャリブレーションの実施を促す警告が表示されると、ラック４５に電子カセッテ３２をセットした後に、コンソール４２の操作パネル１０２に対してキャリブレーション開始を指示する所定操作を行なう。
【００７０】
コンソール４２は、操作パネル１０２に対してキャリブレーション開始を指示する所定操作が行なわれると、撮影姿勢を立位で且つラック４５にセットされた電子カセッテ３２と放射線源１３０の距離を所定の撮影距離とし、曝射条件をキャリブレーションの所定の曝射条件とした撮影条件を放射線発生装置３４及び電子カセッテ３２へ送信する。これにより、線源制御部１３４は、受信した撮影条件で指定されたキャリブレーション時の撮影姿勢となるように支持移動機構５２を制御して放射線源１３０を移動させる。
【００７１】
コンソール４２は、放射線源１３０がキャリブレーション時の撮影姿勢となると、曝射開始を指示する指示情報を放射線発生装置３４及び電子カセッテ３２へ送信する。これにより、線源制御部１３４は、撮影条件に含まれる曝射条件に基づいて放射線源１３０から放射線Ｘを照射させる。
【００７２】
放射線源１３０から照射された放射線Ｘは、電子カセッテ３２に到達する。これにより、電子カセッテ３２に内蔵された放射線検出器６０の各画素部７４の蓄積容量６８には電荷が蓄積される。
【００７３】
電子カセッテ３２のカセッテ制御部９２は、曝射開始を指示する指示情報を受信してから撮影条件で指定された照射期間の経過後にゲート線ドライバ８０を制御してゲート線ドライバ８０から１ラインずつ順に各ゲート配線７６にＯＮ信号を出力させ、各ゲート配線７６に接続された各ＴＦＴ７０を１ラインずつ順にＯＮさせる。放射線検出器６０は、各ゲート配線７６に接続された各ＴＦＴ７０を１ラインずつ順にＯＮされると、１ラインずつ順に各蓄積容量６８に蓄積された電荷が電荷信号として各データ配線７８に流れ出す。各データ配線７８に流れ出した電荷信号は個々のサンプルホールド回路８４に入力されて電圧信号に変換され、変換された電圧信号がマルチプレクサに順に（シリアルに）入力され、Ａ／Ｄ変換器によってデジタルの画像情報へ変換されて、画像メモリ９０に記憶される。カセッテ制御部９２は、画像メモリ９０に記憶された画像情報を無線通信によりコンソール４２へ送信する。
【００７４】
コンソール４２は、受信した画像情報に基づき、シェーディング補正などの各種の補正情報を生成し、先に受信した識別ＩＤにより示される放射線検出器６０と放射線源１３０の組み合わせに対応する補正情報としてＨＤＤ１１０に記憶する。
【００７５】
次に、本実施の形態に係るＲＩＳ１０による放射線画像の撮影の流れを簡単に説明する。
【００７６】
端末装置１２（図１参照。）は、医師又は放射線技師からの、環境情報を含む撮影依頼を受け付ける。当該撮影依頼では、電子カセッテ３２を使用する環境、撮影の日時及び撮影条件が指定される。
【００７７】
端末装置１２は、受け付けた撮影依頼の内容をＲＩＳサーバ１４に通知する。ＲＩＳサーバ１４は、端末装置１２から通知された撮影依頼の内容をデータベース１４Ａに記憶する。
【００７８】
コンソール４２は、ＲＩＳサーバ１４にアクセスすることにより、ＲＩＳサーバ１４から撮影依頼の内容及びこれに関連付けられた環境情報を取得し、撮影依頼の内容をディスプレイ１００に表示する。また、コンソール４２は、これから行う放射線撮影における撮影条件を放射線発生装置３４及び電子カセッテ３２へ送信する。これにより、放射線発生装置３４の線源制御部１３４は、受信した撮影条件で指定された撮影姿勢に応じた位置に放射線源１３０が位置するように線源駆動制御部１３６を制御する。
【００７９】
医師や放射線技師がディスプレイ１００に表示された撮影依頼の内容に基づいて放射線画像の撮影を開始する。
【００８０】
例えば、図２に示すように、ベッド４６上に横臥した患者の患部の放射線画像の撮影を行う場合、医師や放射線技師は、撮影の部位、角度に応じてベッド４６と患者の患部との間に電子カセッテ３２を配置すると共に、患部上方に放射線発生装置３４を配置する。また、医師や放射線技師は、患者の撮影部位や撮影条件に応じてコンソール４２の操作パネル１０２に対して放射線Ｘを照射する際の管電圧、管電流、照射期間等の曝射条件を指定する曝射条件指定操作を行う。コンソール４２は、撮影条件が変更された場合、変更された曝射条件を含んだ撮影条件を放射線発生装置３４及び電子カセッテ３２へ送信する。
【００８１】
医師や放射線技師は、放射線発生装置３４の撮影準備が完了すると、コンソール４２の操作パネル１０２に対して撮影を指示する撮影指示操作を行う。コンソール４２は、操作パネル１０２に対して撮影指示操作が行なわれると、曝射開始を指示する指示情報を放射線発生装置３４及び電子カセッテ３２へ送信する。これにより、放射線源１３０は、放射線発生装置３４がコンソール４２から受信した撮影条件情報に含まれる曝射条件に応じた線量の放射線が発生・射出する。
【００８２】
放射線源１３０から照射された放射線Ｘは、患者を透過した後に電子カセッテ３２に到達する。これにより、電子カセッテ３２に内蔵された放射線検出器６０の各画素部７４の蓄積容量６８には電荷が蓄積される。
【００８３】
放射線検出器６０の各画素部７４の蓄積容量６８に蓄積された電荷は、ゲート線ドライバ８０及び信号処理部８２によって読み出され、画像情報へ変換されて画像メモリ９０に記憶される。画像メモリ９０に記憶された画像情報は無線通信によりコンソール４２へ送信される。
【００８４】
コンソール４２は、撮影を行なった放射線検出器６０と放射線源１３０の組み合わせに対応する補正情報をＨＤＤ１１０から読み出し、受信した画像情報を当該補正情報で補正する画像処理を行ない、補正後の画像情報をＨＤＤ１１０に記憶する。ＨＤＤ１１０に記憶された画像情報は、撮影した放射線画像の確認等のためにディスプレイ１００に表示されると共に、ＲＩＳサーバ１４に転送されてＲＩＳデータベースにも格納される。これにより、撮影された放射線画像を端末装置１２のディスプレイに表示させ、医師が放射線画像の読影や診断等を行うことが可能となる。
【００８５】
以上のように、本実施の形態によれば、ＨＤＤ１１０に電子カセッテ３２と放射線源１３０の組み合わせ毎に放射線画像を補正するための補正情報を記憶しており、無線通信部１１８で通信可能な撮影で使用される電子カセッテ３２及び放射線発生装置３４に装着された放射線源１３０の組み合わせに対応する補正情報がＨＤＤ１１０に記憶されていない場合に、警告が行われるので、警告が行なわれた際に当該電子カセッテ３２及び放射線源１３０の組み合わせに対応する補正情報を生成することにより、電子カセッテ３２によって得られる放射線画像の画質の低下を抑制することができる。
【００８６】
なお、上記実施の形態では、可搬型の放射線画像撮影装置である電子カセッテに適応した場合について説明したが、本発明はこれに限定されるものではなく、据置型の放射線画像撮影装置に適用してもよい。また、電子カセッテ３２とコンソール４２間の通信を有線通信としてもよい。
【００８７】
また、上記実施の形態では、撮影システム１８は、キャリブレーションを、立位の撮影姿勢で行なうものとした場合について説明したが、本発明はこれに限定されるものではなく、例えば、臥位の撮影姿勢で行なうものとしてもよい。
【００８８】
また、上記実施の形態では、電子カセッテ３２及び放射線源１３０にそれぞれ各々を識別するための識別ＩＤを付与し、ＨＤＤ１１０に電子カセッテ３２と放射線源１３０の組み合わせ毎に放射線画像を補正するための補正情報を記憶した場合について説明したが、本発明はこれに限定されるものではない。例えば、放射線情報システム１０に使用される放射線発生装置３４及び電子カセッテ３２がそれぞれ１つである場合は、ＨＤＤ１１０に当該電子カセッテ３２により生成された放射線画像を補正するための補正情報を記憶させ、放射線発生装置３４に装着された放射線源１３０が交換された場合、補正情報の更新を促す警告が行われるようにしてもよい。すなわち、放射線発生装置３４と電子カセッテ３２の組合わせが固定である場合は、それぞれへの識別ＩＤの付与は必須ではない。
【００８９】
また、放射線情報システム１０に使用される放射線発生装置３４が１つであり、複数の電子カセッテ３２が使用される場合は、ＨＤＤ１１０に電子カセッテ３２毎に各電子カセッテ３２により生成された放射線画像を補正するための補正情報を記憶させ、放射線発生装置３４に装着された放射線源１３０が交換された場合、補正情報の更新を促す警告が行われるようにしてもよい。
【００９０】
また、上記実施の形態では、電子カセッテ３２及び放射線源１３０にそれぞれ各々を識別するための識別ＩＤを付与したが、電子カセッテ３２又は放射線源１３０の一方に、各々を識別するための識別ＩＤを付すると共に、他方に、組み合わせて使用された一方の識別ＩＤを記憶させ、電子カセッテ３２又は放射線源１３０の一方から識別ＩＤを取得し、取得された識別ＩＤが電子カセッテ３２又は放射線源１３０の他方に記憶されていない場合に、警告が行われるようにしてもよい。
【００９１】
また、上記実施の形態では、放射線源１３０が交換された場合に警告を行なう場合について説明したが、本発明はこれに限定されるものではない。例えば、図７に示すように、放射線源１３０は、筐体１４０内に、フィラメントを含んで構成された陰極１４２と、モリブデン（Ｍｏ）等により構成されたターゲット（陽極）１４４とを備えており、陰極１４２から放出された熱電子が陰極・陽極間の電位差により加速・集束されてターゲット１４４に衝突しＸ線が発生する。発生したＸ線は、筐体１４０に設けられたベリリウムの窓１４６から外部へ照射される。図７に示す放射線源１３０では、窓１４６部分にモリブデンやロジウム（Ｒｈ）の膜を挿入することによりフィルタ１４８としている。このような放射線源１３０では、放射線源１３０全体ではなく、陰極１４２、ターゲット１４４、フィルタ１４８が交換される場合があり、陰極１４２、ターゲット１４４、フィルタ１４８が交換されると放射線源１３０から照射される放射線の特性が変化する。このため、陰極１４２、ターゲット１４４、フィルタ１４８が交換された場合に警告を行なうようにしてもよい。
【００９２】
また、上記実施の形態では、ディスプレイ１００に警告を表示することにより、医師や放射線技師に警告を行う場合について説明したが、本発明はこれに限定されるものではなく、例えば、スピーカ等の音声再生装置を用いて音声出力を行ったり、印字出力を行ってもよい。また、ディスプレイ１００への警告の表示、スピーカからの音声出力及び印字出力の複数を組み合わせてもよい。
【００９３】
また、上記実施の形態では、コンソール４２は、放射線源１３０の記憶部１３０Ａに記憶された識別ＩＤを通信ケーブル３５を介して受信し、記憶部９２Ｃに記憶された電子カセッテ３２の識別ＩＤを無線通信により受信する場合について説明したが、本発明はこれに限定されるものではなく、例えば、放射線源１３０や電子カセッテ３２の表面に付された識別ＩＤをコード化したコード情報を読み取ることや、識別ＩＤが入力されることにより識別ＩＤを得るようにしてもよい。
【００９４】
その他、上記実施の形態で説明した放射線情報システム１０の構成（図１参照。）、撮影システム１８の構成（図２、図４参照。）及び電子カセッテ３２の構成（図３参照。）は一例であり、本発明の主旨を逸脱しない範囲内において状況に応じて変更可能であることは言うまでもない。
【００９５】
また、上記実施の実施の形態で説明した組合せ判定処理プログラムの処理の流れ（図６参照。）も一例であり、本発明の主旨を逸脱しない範囲内において状況に応じて変更可能であることは言うまでもない。
【図面の簡単な説明】
【００９６】
【図１】実施の形態に係る放射線情報システムの構成を示すブロック図である。
【図２】実施の形態に係る放射線画像撮影システムが設置された放射線撮影室の様子を示す図である。
【図３】実施の形態に係る電子カセッテの内部構成を示す透過斜視図である。
【図４】実施の形態に係る放射線画像撮影システムの詳細な構成を示すブロック図である。
【図５】実施の形態に係る放射線検出器の１画素部分に注目した等価回路図である。
【図６】実施の形態に係る組合せ判定処理プログラムの処理の流れを示すフローチャートである。
【図７】実施の形態に係る放射線源の構造を示す断面図である。
【符号の説明】
【００９７】
１８    放射線画像撮影システム
３２    電子カセッテ（放射線画像撮影装置）
３４    放射線発生装置（放射線照射手段）
４２    コンソール
１００  ディスプレイ
１０４  ＣＰＵ（制御手段）
１１０  ＨＤＤ（記憶手段）
１１８  無線通信部（通信手段、取得手段）
１３０  放射線源
【図１】
2010081961.tif 000003
【図２】
2010081961.tif 000004
【図３】
2010081961.tif 000005
【図４】
2010081961.tif 000006
【図５】
2010081961.tif 000007
【図６】
2010081961.tif 000008
【図７】
2010081961.tif 000009